【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
回転する感光体と、光を照射することで前記感光体に静電潜像を形成する光照射手段と、前記感光体と当接しニップ部を形成する当接部材と、を備えた画像形成装置であって、
前記光照射手段によって前記感光体上に形成された補正用静電潜像を前記ニップ部で検知した検知結果に基づき、画像のずれを補正する補正モードにおいて、
前記感光体の回転方向における前記補正用静電潜像の幅は、前記ニップ部の幅以上であることを特徴とする画像形成装置。
【請求項２】
回転する感光体と、光を照射することで前記感光体に静電潜像を形成する光照射手段と、前記感光体と当接しニップ部を形成する当接部材と、を備えた画像形成装置であって、
前記光照射手段によって前記感光体上に形成された補正用静電潜像を前記ニップ部で検知した検知結果に基づき、画像のずれを補正する補正モードにおいて、
前記感光体の回転方向における第１の補正用静電潜像と、前記第１の補正用静電潜像を形成した後に続いて形成される第２の補正用静電潜像との間隔は、前記ニップ部の幅以上であることを特徴とする画像形成装置。
【請求項３】
回転する感光体と、光を照射することで前記感光体に静電潜像を形成する光照射手段と、前記感光体と当接しニップ部を形成する当接部材と、を備えた画像形成装置であって、
前記光照射手段によって前記感光体上に形成された補正用静電潜像を前記ニップ部で検知した検知結果に基づき、画像のずれを補正する補正モードにおいて、
前記感光体の回転方向における第１の補正用静電潜像、及び前記第１の補正用静電潜像を形成した後に続いて形成される第２の補正用静電潜像の幅は、前記ニップ部の幅以上であり、且つ、前記感光体の回転方向における前記第１の補正用静電潜像と前記第２の補正用静電潜像の間隔は、前記ニップ部の幅以上であることを特徴とする画像形成装置。
【請求項４】
前記ニップ部での補正用静電潜像の検出結果と閾値が一致するタイミングが、当該補正用静電潜像の先端の検出タイミングであり、当該補正用静電潜像の先端の検出後、前記ニップ部での当該補正用静電潜像の検出結果と閾値が一致するタイミングが、当該補正用静電潜像の後端の検出タイミングであり、前記先端から前記後端までの距離が当該補正用静電潜像の幅であることを特徴とする請求項１又は３に記載の画像形成装置。
【請求項５】
前記ニップ部での前記第１の補正用静電潜像の検出結果と閾値が一致し、その後、前記ニップ部での前記第１の補正用静電潜像の検出結果と閾値が一致するタイミングが、前記補正用静電潜像の後端の検出タイミングであり、前記第１の補正用静電潜像の後端の検出後、前記ニップ部での前記第２の補正用静電潜像の検出結果と閾値が一致するタイミングが、前記第２の補正用静電潜像の先端の検出タイミングであり、前記第１の補正用静電潜像の後端から前記第２の補正用静電潜像の先端までの距離が前記第１の補正用静電潜像を形成した後、続いて形成される前記第２の補正用静電潜像の間隔となることを特徴とする請求項２又は３に記載の画像形成装置。
【請求項６】
前記当接部材は、前記感光体を帯電する帯電手段、前記感光体に形成された静電潜像をトナーで現像して前記感光体にトナー像を形成する現像手段、前記感光体に形成されたトナー像を記録媒体又は像担持体に転写する転写手段のいずれかであることを特徴とする請求項１乃至５のいずれか１項に記載の画像形成装置。
【請求項７】
前記当接部材に電圧を印加する電圧印加手段と、
前記電圧印加手段が前記当接部材に電圧を印加することにより、前記当接部材を経由して前記電圧印加手段に流れる電流を検出する電流検出手段と、をさらに備え、
前記電流検出手段により前記ニップ部で前記補正用静電潜像の有無を検出した検出結果に基づき、画像のずれを補正することを特徴とする請求項１乃至６のいずれか１項に記載の画像形成装置。
【請求項８】
前記光照射手段が前記感光体の回転方向において、互いに隣接する補正用静電潜像の間隔を形成するために前記感光体に光を照射しない領域の幅は、前記ニップ部の幅以上であることを特徴とする請求項１乃至７のいずれか１項に記載の画像形成装置。
【請求項９】
回転する感光体と、光を照射することで前記感光体に静電潜像を形成する光照射手段と、画像形成のために前記感光体に作用するプロセス手段と、を備えた画像形成装置であって、
前記光照射手段によって前記感光体上に形成した補正用静電潜像を、前記感光体と前記プロセス手段との間で電荷が移動する領域である電荷移動領域で検知した検知結果に基づき画像のずれを補正する補正モードにおいて、
前記感光体の回転方向における前記補正用静電潜像の幅は前記電荷移動領域の幅以上であることを特徴とする画像形成装置。
【請求項１０】
回転する感光体と、光を照射することで前記感光体に静電潜像を形成する光照射手段と、画像形成のために前記感光体に作用するプロセス手段と、を備えた画像形成装置であって、
前記光照射手段によって前記感光体上に形成した補正用静電潜像を、前記感光体と前記プロセス手段との間で電荷が移動する領域である電荷移動領域で検知した検知結果に基づき画像のずれを補正する補正モードにおいて、
前記感光体の回転方向における第１の補正用静電潜像と、前記第１の補正用静電潜像を形成した後に続いて形成される第２の補正用静電潜像との間隔は前記電荷移動領域の幅以上であることを特徴とする画像形成装置。
【請求項１１】
回転する感光体と、光を照射することで前記感光体に静電潜像を形成する光照射手段と、画像形成のために前記感光体に作用するプロセス手段と、を備えた画像形成装置であって、
前記光照射手段によって前記感光体上に形成した補正用静電潜像を、前記感光体と前記プロセス手段との間で電荷が移動する領域である電荷移動領域で検知した検知結果に基づき画像のずれを補正する補正モードにおいて、
前記感光体の回転方向における第１の補正用静電潜像、及び前記第１の補正用静電潜像を形成した後に続いて形成される第２の補正用静電潜像の幅は、前記ニップ部の幅以上であり、且つ、前記感光体の回転方向における前記第１の補正用静電潜像と前記第２の補正用静電潜像との間隔は、前記電荷移動領域の幅以上であることを特徴とする画像形成装置。
【請求項１２】
前記電荷移動領域での補正用静電潜像の検出結果と閾値が一致するタイミングが、当該補正用静電潜像の先端の検出タイミングであり、当該補正用静電潜像の先端の検出後、前記電荷移動領域での当該補正用静電潜像の検出結果と閾値が一致するタイミングが、当該補正用静電潜像の後端の検出タイミングであり、前記先端から前記後端までの距離が当該補正用静電潜像の幅であることを特徴とする請求項９又は１１に記載の画像形成装置。
【請求項１３】
前記電荷移動領域での前記第１の補正用静電潜像の検出結果と閾値が一致し、その後、前記電荷移動領域での前記第１の補正用静電潜像の検出結果と閾値が一致するタイミングが、前記補正用静電潜像の後端の検出タイミングであり、前記第１の補正用静電潜像の後端の検出後、前記電荷移動領域での前記第２の補正用静電潜像の検出結果と閾値が一致するタイミングが、前記第２の補正用静電潜像の先端の検出タイミングであり、前記第１の補正用静電潜像の後端から前記第２の補正用静電潜像の先端までの距離が前記第１の補正用静電潜像を形成した後、続いて形成される前記第２の補正用静電潜像の間隔となることを特徴とする請求項１０又は１１に記載の画像形成装置。
【請求項１４】
前記感光体の半径をｒ（ｍｍ）、前記プロセス手段の半径をＲ（ｍｍ）、前記感光体の静電潜像が形成されている部分の表面電位をＶＬ（Ｖ）、前記感光体の静電潜像が形成されていない部分の表面電位をＶＤ（Ｖ）とすると、前記電荷移動領域の前記回転方向の幅Ｌ（ｍｍ）は、
Ｌ＝ｒ・（θ−θ´）
θ＝ｆ（ＤＡ）、θ´＝ｆ（８）
ｆ（Ｄ）＝ｃｏｓ−１（（ｎ２−ｍ＋１）／２ｎ）
ｎ＝（（Ｒ＋ｒ）・１０３−Ｄ）／（ｒ・１０３）
ｍ＝（Ｒ／ｒ）２
ＤＡ＝（ＶＬ−ＶＤ＋Ｖｐａ（８）−３１２）／６．２
Ｖｐａ（Ｄ）＝３１２＋６.２Ｄ
であることを特徴とする請求項９から１３のいずれか１項に記載の画像形成装置。
【請求項１５】
前記電荷移動領域では、放電により電荷が移動することを特徴とする請求項９乃至１４のいずれか１項に記載の画像形成装置。
【請求項１６】
前記電荷移動領域では、前記感光体と前記プロセス手段の接触部を経由して電荷が移動することを特徴とする請求項９乃至１４のいずれか１項に記載の画像形成装置。
【請求項１７】
回転する感光体と、光を照射することで前記感光体に静電潜像を形成する光照射手段と、を備えた画像形成装置であって、
前記光照射手段によって前記感光体上に形成した補正用静電潜像を検知した検知結果に基づき画像のずれを補正する補正モードにおいて、
前記感光体の回転方向における前記補正用静電潜像の幅は９２１．８μｍ以上であることを特徴とする画像形成装置。
【請求項１８】
回転する感光体と、光を照射することで前記感光体に静電潜像を形成する光照射手段と、を備えた画像形成装置であって、
前記光照射手段によって前記感光体上に形成した補正用静電潜像を検知した検知結果に基づき画像のずれを補正する補正モードにおいて、
前記感光体の回転方向における第１の補正用静電潜像と、前記第１の補正用静電潜像を形成した後に続いて形成される第２の補正用静電潜像の間隔は９２１．８μｍ以上であることを特徴とする画像形成装置。
【請求項１９】
回転する感光体と、光を照射することで前記感光体に静電潜像を形成する光照射手段と、を備えた画像形成装置であって、
前記光照射手段によって前記感光体上に形成した補正用静電潜像を検知した検知結果に基づき画像のずれを補正する補正モードにおいて、
前記感光体の回転方向における第１の補正用静電潜像、及び前記第１の補正用静電潜像を形成した後に続いて形成される第２の補正用静電潜像の幅は９２１．８μｍ以上であり、且つ、前記感光体の回転方向における前記第１の補正用静電潜像と前記第２の補正用静電潜像の間隔は９２１．８μｍ以上であることを特徴とする画像形成装置。
【手続補正２】
【補正対象書類名】明細書
【補正対象項目名】０００８
【補正方法】変更
【補正の内容】
【０００８】
本発明による画像形成装置は、回転する感光体と、光を照射することで前記感光体に静電潜像を形成する光照射手段と、前記感光体と当接しニップ部を形成する当接部材と、を備えた画像形成装置であって、前記光照射手段によって前記感光体上に形成された補正用静電潜像を前記ニップ部で検知した検知結果に基づき、画像のずれを補正する補正モードにおいて、前記感光体の回転方向における前記補正用静電潜像の幅は、前記ニップ部の幅以上であることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】